(57)【要約】【課題】ポスト噴射を伴う再生を中断する場合に、その中断中にもフィルタの再生を継続できる排気ガス浄化装置を提供すること。【解決手段】排気ガス浄化装置は、エンジン１の排気経路５内に配置されている酸化触媒１８およびフィルタ１９と、燃料噴射パターンにしたがって燃料を噴射する燃料噴射装置１３と、粒子状物質の堆積量を推定し、かつ前記燃料噴射パターンを設定する制御装置（ＥＣＵ５０）と、を備えている。第１パターンが設定されているときに前記第１パターンの中断要求が発生すると、前記中断要求が消失するまで前記第１パターンの代わりに第２パターンが設定され、前記第１パターンは、ポスト噴射を含む前記燃料噴射パターンであり、前記第２パターンは、圧縮行程および膨張行程における総噴射量が増やされている前記燃料噴射パターンである。【選択図】図８
2014238056.tif 000002
【特許請求の範囲】
【請求項１】
エンジンの排気経路内に配置される酸化触媒およびフィルタと、
設定された燃料噴射パターンにしたがって燃料を噴射する燃料噴射装置と、
粒子状物質の堆積量を推定し、かつ前記燃料噴射パターンを設定するように構成されている制御装置と、を備える排気ガス浄化装置であって、
第１パターンが設定されているときに前記第１パターンの中断要求が発生すると、前記中断要求が消失するまで前記第１パターンの代わりに第２パターンが設定され、
前記第１パターンは、前記フィルタを再生するための前記燃料噴射パターンであって、ポスト噴射を含んでおり、
前記第２パターンは、前記フィルタを再生するための前記燃料噴射パターンであり、前記第２パターンでは圧縮行程および膨張行程における総噴射量が増やされている、排気ガス浄化装置。
【請求項２】
前記制御装置は、前記エンジンの運転条件に基づいて前記堆積量を推定する計算式推定方法と、前記フィルタの両側間の差圧に基づいて前記堆積量を推定する差圧式推定方法とを、実行できるように構成されており、
前記中断要求が発生している間、前記計算式推定方法に基づいて前記堆積量が推定される、請求項１に記載の排気ガス浄化装置。
【請求項３】
更に、入力操作によって前記中断要求を発生させる入力装置を備えている、請求項１または２に記載の排気ガス浄化装置。
【発明の詳細な説明】
【技術分野】
【０００１】
本発明は、エンジンの排気経路内に配置される酸化触媒およびフィルタと、設定された燃料噴射パターンにしたがって燃料を噴射する燃料噴射装置と、粒子状物質の堆積量を推定し、かつ前記燃料噴射パターンを設定するように構成されている制御装置と、を備える排気ガス浄化装置に関する。
【背景技術】
【０００２】
従来、酸化触媒およびフィルタを有するディーゼル微粒子捕集フィルタが知られている。特許文献１も、このようなディーゼル微粒子捕集フィルタを備える排気ガス浄化装置の一例を開示している。
【０００３】
このような排気ガス浄化装置は、排気ガスの温度を高めることによって酸化触媒を活性化させるように構成されている。酸化触媒が活性化すると排気ガス中の窒素酸化物が酸化されて二酸化窒素が生成される。二酸化窒素は強力な酸化作用を有しているので、フィルタ上のＰＭ（粒子状物質）が酸化されて除去される。排気ガスの温度を高めるために、排気絞り、吸気絞り、およびメイン噴射時期の遅延などが行われる。排気ガス浄化装置は、上述の制御に加えて、活性化した酸化触媒にポスト噴射を使用して燃料を供給することにより、フィルタに入る排気ガスの温度（フィルタ入口温度）を更に高めるように構成されている。フィルタ入口温度がＰＭの燃焼温度（４００℃）を超えると、排気ガス中の酸素によってフィルタ上のＰＭが酸化されて除去される。酸素による燃焼は、二酸化窒素による酸化と比べて、急速にＰＭを除去できる。このため、フィルタを完全に再生する場合には、ポスト噴射を使用して排気ガスの温度が高められる。
【０００４】
特許文献１に記載される排気ガス浄化装置は、ポスト噴射によってエンジンオイルが希釈されるのを防止するために、フィルタ再生の最大持続時間を制限している。フィルタ再生の実行時間が最大持続時間を越えた場合、フィルタ再生が禁止される（特許文献１の００１９段落）。再生中の禁止期間では、再生燃焼モードの代わりに通常燃焼モード（通常運転）が実行される（特許文献１の００１２段落）。
【先行技術文献】
【特許文献】
【０００５】
【特許文献１】特開２０１０−１８０８５２号公報
【発明の概要】
【発明が解決しようとする課題】
【０００６】
特許文献１に記載される排気ガス浄化装置では、ポスト噴射を伴う再生の実行時間が最大持続時間を越える場合にフィルタの再生が中断され、その中断中に通常運転が実行される。通常運転が実行されているとき、フィルタの再生はまったく行われない。このため、フィルタの再生の完了が遅れてしまう。
【０００７】
本発明の目的は、ポスト噴射を伴う再生を中断する場合に、その中断中にもフィルタの再生を継続できる排気ガス浄化装置を提供することである。
【課題を解決するための手段】
【０００８】
本発明に係る排気ガス浄化装置は、エンジンの排気経路内に配置される酸化触媒およびフィルタと、設定された燃料噴射パターンにしたがって燃料を噴射する燃料噴射装置と、粒子状物質の堆積量を推定し、かつ前記燃料噴射パターンを設定するように構成されている制御装置と、を備える排気ガス浄化装置であって、第１パターンが設定されているときに前記第１パターンの中断要求が発生すると、前記中断要求が消失するまで前記第１パターンの代わりに第２パターンが設定され、前記第１パターンは、前記フィルタを再生するための前記燃料噴射パターンであって、ポスト噴射を含んでおり、前記第２パターンは、前記フィルタを再生するための前記燃料噴射パターンであり、前記第２パターンでは圧縮行程および膨張行程における総噴射量が増やされている。
【０００９】
前記排気ガス浄化装置において、前記制御装置は、前記エンジンの運転条件に基づいて前記堆積量を推定する計算式推定方法と、前記フィルタの両側間の差圧に基づいて前記堆積量を推定する差圧式推定方法とを、実行できるように構成されており、前記中断要求が発生している間、前記計算式推定方法に基づいて前記堆積量が推定される。
【００１０】
前記排気ガス浄化装置は、更に、入力操作によって前記中断要求を発生させる入力装置を備えている。
【発明の効果】
【００１１】
本発明に係る排気ガス浄化装置は、ポスト噴射を伴う再生を中断する場合に、その中断中にもフィルタの再生を継続できる。
【図面の簡単な説明】
【００１２】
【図１】本実施形態に係るエンジンの構成を示す図である。
【図２】エンジンの冷却水回路の構成を示す図である。
【図３】燃料噴射パターンの一例を示す図である。
【図４】制御モードの一覧表を示す図である。
【図５】自己再生領域、再生可能領域、および再生不可能領域を示す図である。
【図６】堆積量の時間変化の一例を示す図である。
【図７】制御モードの遷移を示すフロー図である。
【図８】堆積量の時間変化を示す図である。
【図９】中断要求の有無の時間変化を示す図である。
【図１０】制御モードの時間変化を示す図である。
【図１１】差圧式推定方法の有無の時間変化を示す図である。
【発明を実施するための形態】
【００１３】
図面を参照して、本実施形態に係る排気ガス浄化装置を搭載するディーゼルエンジン１を説明する。ディーゼルエンジン（以下、エンジン）１は、駆動機構１００に接続されている。駆動機構１００は、エンジン１によって駆動される走行装置および／または作業装置を示している。エンジン１および駆動機構１００は、例えば、バックホーまたはトラクターのような作業車両に搭載される。
【００１４】
図１は、本実施形態に係るエンジン１の構成を示す図である。エンジン１は、吸気経路２、吸気スロットル弁３、シリンダブロック４、排気経路５、排気スロットル弁６、フィルタユニット７、ＥＧＲ管８、ＥＧＲスロットル弁９、過給機１０、クランク軸１１、および燃料噴射装置１３を備えている。
【００１５】
エンジン１は４気筒であり、シリンダブロック４は４つの燃焼室１２を有している。吸気経路２は、外部に開放されている吸気管２ａと、吸気管２ａを４つの燃焼室１２に接続する吸気マニホールド２ｂとからなっている。外気（吸気ガス）は、吸気経路２を介して燃焼室１２に導入される。吸気スロットル弁３は、吸気管２ａ上に配置されており、吸気経路２の開度を変更する。排気経路５は、外部に開放されている排気管５ａと、４つの燃焼室１２を排気管５ａに接続する排気マニホールド５ｂとからなっている。排気ガスは、排気経路５を介して燃焼室１２から大気中に排出される。排気スロットル弁６は、排気管５ａ上に設けられており、排気経路５の開度を変更する。ＥＧＲ管（ＥＧＲ経路）８は、排気経路５を吸気経路２に接続している。排気ガスの一部は、ＥＧＲ管８を介して吸気経路２に導入され、吸気ガスに合流する。ＥＧＲスロットル弁９はＥＧＲ管８上に設けられており、ＥＧＲ管８の開度を変更する。後述のＥＧＲクーラー２４（図２）は、ＥＧＲスロットル弁９の下流側で、ＥＧＲ管８上に設けられている。過給機１０は、排気管５ａ上に配置されている排気タービン１０ａと、吸気管２ａ上に配置されている圧縮機１０ｂとを備えている。燃料噴射装置１３は、コモンレール方式を採用しており、燃料噴射パターンにしたがって、各燃焼室１２に燃料を供給する。
【００１６】
フィルタユニット７は、排気経路５上に設けられている。フィルタユニット７は、ディーゼル微粒子捕集フィルタであり、酸化触媒１８およびフィルタ１９を備えている。酸化触媒１８は、排気経路５内でフィルタ１９の上流側に配置されている。排気ガスが排気経路５に沿って排出されるとき、排気ガスは酸化触媒１８を通過した後、フィルタ１９を通過する。排気ガス中に含まれるＰＭ（粒子状物質）は、フィルタ１９に捕捉される。
【００１７】
図１において、エンジン１は、ＥＣＵ５０、回転速度入力装置１４、警告装置１５、ステーショナリ再生ボタン１６、および中断要求ボタン１７を備えている。
【００１８】
ＥＣＵ（制御装置）５０は、エンジン１の運転に関係する各種装置を制御するように構成されている。
【００１９】
回転速度入力装置１４は、目標回転速度を指定するための操作機器である。本実施形態では、回転速度入力装置１４は、エンジン１の運転状態を変更するアクセルレバー群を示している。
【００２０】
警告装置１５は、オペレータへの各種の警告を実行する。本実施形態では、警告装置１５は、複数の異なる警告を表示できる多数のランプ群から構成されている。
【００２１】
ステーショナリ再生ボタン１６は、手動の入力操作によって、制御モードをステーショナリ再生モードに変更する指令（ステーショナリ再生モード指令）を発生させる入力装置である。ステーショナリ再生ボタン１６は押しボタンであり、指令「有」の状態と、指令「無」の状態とを指定できる。制御モードの内容は、後述する。
【００２２】
中断要求ボタン１７は、手動の入力操作によって、リセット再生モードの中断要求を発生させる入力装置である。中断要求ボタン１７は押しボタンであり、中断要求「有」の状態と、中断要求「無」の状態とを指定できる。
【００２３】
図１において、エンジン１は、環境温度センサ３１、吸気温度センサ３２、初期排気温度センサ３３、触媒入口温度センサ３４、フィルタ入口温度センサ３５、およびＥＧＲ温度センサ３６を備えている。環境温度センサ３１は、圧縮機１０ｂおよび出口８ｂの上流側で、吸気経路２内の吸気ガスの温度（環境温度）を検出する。吸気温度センサ３２は、圧縮機１０ｂおよびＥＧＲ管８の出口８ｂの下流側で、吸気経路２内の吸気ガスの温度（吸気温度）を検出する。初期排気温度センサ３３は、排気スロットル弁６、排気タービン１０ａ、およびＥＧＲ管８の入口８ａの上流側で、排気経路５内の排気ガスの温度（初期排気温度）を検出する。触媒入口温度センサ３４は、排気スロットル弁６および排気タービン１０ａの下流側かつ酸化触媒１８の上流側で、排気経路５内の排気ガスの温度（触媒入口温度）を検出する。フィルタ入口温度センサ３５は、酸化触媒１８の下流側かつフィルタ１９の上流側で、排気経路５内の排気ガスの温度（フィルタ入口温度）を検出する。ＥＧＲ温度センサ３６は、ＥＧＲクーラー２４およびＥＧＲスロットル弁９の下流側で、ＥＧＲ管８内の排気ガスの温度（ＥＧＲ温度）を検出する。
【００２４】
図１において、エンジン１は、差圧センサ４０、大気圧センサ４１、吸気圧力センサ４２、および初期排気圧力センサ４３を備えている。差圧センサ４０は、フィルタ入口圧力センサ４０ａ、およびフィルタ出口圧力センサ４０ｂを備えている。フィルタ入口圧力センサ４０ａは、酸化触媒１８の下流側かつフィルタ１９の上流側で、排気経路５内の圧力を検出する。フィルタ出口圧力センサ４０ｂは、フィルタ１９の下流側で、排気経路５内の圧力を検出する。差圧センサ４０は、フィルタ入口圧力センサ４０ａおよびフィルタ出口圧力センサ４０ｂによる検出情報に基づいて、フィルタ１９の両側間の差圧を検出する。大気圧センサ４１は、エンジン１の外部における圧力（大気圧）を検出する。吸気圧力センサ４２は、圧縮機１０ｂおよびＥＧＲ管８の出口８ｂの下流側で、吸気経路２内の吸気ガスの圧力（吸気圧力）を検出する。初期排気圧力センサ４３は、排気スロットル弁６、排気タービン１０ａ、およびＥＧＲ管８の入口８ａの上流側で、排気経路５内の排気ガスの圧力（初期排気圧力）を検出する。
【００２５】
図１において、エンジン１は、回転速度センサ５１を備えている。回転速度センサ５１は、クランク軸１１の回転速度（エンジン回転速度）を検出する。
【００２６】
図２は、エンジン１の冷却水回路２０の構成を示す図である。冷却水回路２０は、水経路２１、水ポンプ２２、水ジャケット２３、ＥＧＲクーラー２４、およびラジエータ２５を備えている。水ポンプ２２は水経路２１に沿ってエンジン１の冷却水を流す。水ジャケット２３はシリンダブロック４内に形成されている。また、エンジン１は、水温センサ２６を備えている。水温センサ２６は、水ジャケット２３の下流側かつラジエータ２５の上流側で水経路２１を流れる冷却水の温度（冷却水温度）を検出する。
【００２７】
堆積量の推定方法を説明する。堆積量は、フィルタ１９に堆積しているＰＭの量を示している。ＥＣＵ５０は、２通りの推定方法に基づいて、堆積量を推定できる。２通りの推定方法は、計算式推定方法および差圧式推定方法である。
【００２８】
計算式推定方法は、エンジンの運転条件に基づいて、堆積量を推定する方法である。計算式推定方法では、エンジンの運転条件に基づいてＰＭ排出量およびＰＭ再生量が推定され、得られたＰＭ排出量およびＰＭ再生量に基づいて堆積量が推定される。ＰＭ排出量は、単位時間において、エンジン１から排出されるＰＭの量を示している。ＰＭ再生量は、単位時間において、再生によりフィルタ１９から除去されるＰＭの量を示している。堆積量は、ＰＭ排出量からＰＭ再生量を減じることによって得られる。ＰＭ排出量およびＰＭ再生量は、いずれも、エンジンの運転条件に基づいて推定される。ＰＭ排出量は基本的にエンジン回転速度および１サイクルの総噴射量に基づいて推定される。ＰＭ再生量は排気ガスの流量およびフィルタ入口温度センサ３５によって検出されるフィルタ入口温度に基づいて推定される。エンジンの運転条件は、温度センサ３１−３６によって検出される温度群、圧力センサ４１−４５によって検出される圧力群、回転速度センサ５１によって検出されるエンジン回転速度、および燃料噴射装置１３から噴射される総噴射量に基づいて、特定される。
【００２９】
差圧式推定方法は、フィルタ１９の両側間の差圧に基づいて、堆積量を推定する方法である。堆積量が増加するにつれてフィルタ１９の目詰まりが増加し、フィルタ１９の差圧が大きくなる。逆に、堆積量が低下するにつれてフィルタ１９の差圧が小さくなる。つまり、差圧式推定方法は、差圧と堆積量との間の相関関係を利用して、堆積量を推定する。なお、厳密には、堆積量は、差圧センサ４０によって得られる差圧に、排気ガスの流量による補正を加えることによって得られている。排気ガスの流量は、エンジンの運転条件に基づいて推定される。
【００３０】
図３から図７を参照して、フィルタ１９の再生を説明する。以下において、各種の温度（℃）および堆積量（ｇ／Ｌ）の数値が列挙されているが、これらの数値は本実施形態において用いられた一例としての数値にすぎない。なお、堆積量の単位ｇ／Ｌは、単位体積あたりのＰＭの重量を示している。
【００３１】
フィルタ１９の再生は、酸素によるＰＭの燃焼および二酸化窒素によるＰＭの酸化によって、行われる。燃焼または酸化により、フィルタ１９に堆積したＰＭが除去される。酸素によるＰＭの燃焼は、ＰＭの自己着火による燃焼を示している。自己着火は、ＰＭの温度がＰＭの燃焼温度（４００℃）を超える場合に発生する。二酸化窒素はＰＭに対して酸化剤として機能する。酸化触媒１８の温度が所定の活性化温度（３００℃）を超えると、酸化触媒１８が活性化し、排気ガス中の窒素酸化物から高活性な二酸化窒素が生成される。フィルタ１９は酸化触媒１８の下流側に設けられているので、酸化触媒１８の周辺で生成された二酸化窒素がフィルタ１９を通過する。このため、フィルタ１９に堆積したＰＭが酸化され、除去される。なお、触媒入口温度が高温（５５０℃）以上になると、二酸化窒素が生成されなくなるため、酸素による燃焼のみによって再生が行われる。
【００３２】
触媒入口温度が活性化温度よりも低い場合、二酸化窒素による酸化および酸素による燃焼は発生しない。このため、エンジン１は、触媒入口温度を高めるために、排気絞りおよび燃料噴射パターンの変更を利用する。
【００３３】
図３は、燃料噴射パターンの一例を示す図である。図３において、横軸は噴射時期を示しており、縦軸は噴射量を示している。燃料噴射パターンは、噴射時期および噴射量によって規定された燃料噴射の形態を示している。図３に示される燃料噴射パターンは、プレ噴射、メイン噴射、アフタ噴射、およびポスト噴射を含んでいる。メイン噴射の噴射期間は上死点（ＴＤＣ）を含んでいる。プレ噴射は、着火性確保のために実行される。メイン噴射は、主燃焼のために実行される。アフタ噴射は触媒入口温度を上昇させるために実行され、ポスト噴射はフィルタ入口温度を上昇させるために実行される。
【００３４】
吸気スロットル弁３に吸気絞りを実行させることにより、エンジン１に掛かる負荷が増大するので、燃料の噴射量（メイン噴射量）が増大する。この結果、触媒入口温度が上昇する。また、燃料噴射装置１３に実行させる燃料噴射パターンを変更することにより、トルクを増大させることなく、燃料の総噴射量を増やすことができる。具体的には、メイン噴射のリタードおよび／またはアフタ噴射の使用が行われる。この結果、フィルタ入口温度が上昇する。その上ポスト噴射を含むように燃料噴射パターンが設定されると、更に燃料の総噴射量が増大する。この場合、ポスト噴射で供給された燃料が酸化触媒１８で燃焼し、フィルタ入口温度が触媒入口温度に対して大きく上昇する。
【００３５】
図４は、制御モードの一覧表を示す図である。エンジン１は、６つの可能な制御モードを備えている。６つの制御モードは、自己再生モード、アシスト再生モード、リセット再生モード、ステーショナリ待機モード、ステーショナリ再生モード、およびメンテナンス待機モードからなっている。エンジン１が起動されているとき、６つの制御モードのうちのいずれか１つが選択されており、選択された制御モードに基づいてＥＣＵ５０はエンジン１を制御する。これらの制御モードのそれぞれについて、制御条件、開始条件、および終了条件が設定されている。制御条件は、燃料噴射パターンの構成、吸気絞りの絞り量、および目標回転速度の構成からなっている。燃料噴射パターンの構成は、プレ噴射、メイン噴射、アフタ噴射、およびポスト噴射の有無、ならびに、これらの噴射の噴射量および噴射時期を示している。目標回転速度の構成は、目標回転速度の有無およびその大きさを示している。
【００３６】
自己再生モードは、フィルタ１９を再生するための特別な制御を実行しない制御モードである。自己再生モードでは、通常運転が実行される。図３に示されるように、自己再生モードにおける燃料噴射パターンは、プレ噴射およびメイン噴射からなっている。通常運転（自己再生モード）中に触媒入口温度が活性化温度よりも高くなれば、フィルタ１９の再生が自動的に行われる。
【００３７】
アシスト再生モードは、ポスト噴射を使用することなくフィルタ１９を再生するための制御モードである。アシスト再生モードでは、触媒入口温度を上昇させるように燃料噴射パターンが設定され、かつ吸気絞りが使用される。図３に示されるように、アシスト再生モードにおける燃料噴射パターンは、プレ噴射、メイン噴射、およびアフタ噴射からなっている。また、アシスト再生モードにおけるメイン噴射の噴射時期は、自己再生モードにおけるメイン噴射の噴射時期よりも遅延している。メイン噴射の噴射時期の遅延およびアフタ噴射の使用は、トルク発生に寄与する燃料量の割合を低下させ、温度上昇に寄与する燃料量の割合を増大させる。また、吸気絞りは、エンジン１に掛かる負荷を増大させるので、メイン噴射量を増大させる。図３に示されるように、メイン噴射は、圧縮行程および膨張行程に実行される。つまり、アシスト再生モードでは、圧縮行程および膨張行程における総噴射量が増加されている。このため、触媒入口温度が上昇する。
【００３８】
アシスト再生モードは、活性化温度よりも高く燃焼温度よりも低いアシスト目標温度（３５０℃）に触媒入口温度を到達させることを目的としている。触媒入口温度が活性化温度に到達すると、フィルタ１９が緩やかに再生される。しかし、アシスト再生モードでは作業の実行が許可されており、回転速度の変動が想定される。回転速度が変動するとメイン噴射量も変動し、触媒入口温度も変動する。このため、回転速度が低く保たれている場合、触媒入口温度がアシスト目標温度に到達しない。
【００３９】
リセット再生モードは、ポスト噴射を使用してフィルタ１９を急速に再生するための制御モードである。リセット再生モードでは、フィルタ入口温度を上昇させるように燃料噴射パターンが設定され、かつ吸気絞りが使用される。図３に示されるように、リセット再生モードにおける燃料噴射パターンは、プレ噴射、メイン噴射、アフタ噴射、およびポスト噴射からなっている。つまり、リセット再生モードにおける制御条件は、アシスト再生モードにおける制御条件に加えて、ポスト噴射の使用を含んでいる。触媒入口温度が活性化温度を超えているときにポスト噴射が実行されると、酸化触媒１８で燃料が燃焼する。この結果、排気ガスが更に加熱され、フィルタ入口温度が更に上昇する。
【００４０】
リセット再生モードは、堆積量がほとんどゼロになるように、燃焼温度よりも高いリセット目標温度（６００℃）にフィルタ入口温度を到達させることを目的としている。フィルタ入口温度がリセット目標温度（６００℃）に到達すると、フィルタ１９が比較的短時間で再生される。しかし、リセット再生モードでも作業の実行が許可されており、回転速度の変動が想定される。このため、回転速度が低く保たれている場合、フィルタ入口温度がリセット目標温度に到達しない。
【００４１】
自己再生モード、アシスト再生モード、およびリセット再生モードでは、上述したように回転速度が固定されていないため、触媒入口温度またはフィルタ入口温度が良好に上昇しない場合がある。このような場合、フィルタ１９の再生が良好に行われない。このため、フィルタ１９の再生が確実に行われるように、ステーショナリ再生モードが設けられている。
【００４２】
ステーショナリ再生モードは、回転速度を所定回転速度に維持しかつポスト噴射を使用して、フィルタ１９を急速に再生するための制御モードである。ステーショナリ再生モードでは、フィルタ入口温度を上昇させるように燃料噴射パターンが設定され、吸気絞りが使用され、かつ目標回転速度が所定回転速度に維持される。つまり、ステーショナリ再生モードでは、リセット再生モードにおいて実行される制御に加えて、回転速度が固定されている。所定回転速度は、本実施形態では２２００ｒｐｍである。ステーショナリ再生モードの制御条件は、フィルタ入口温度が燃焼温度（４００℃）よりも高いステーショナリ目標温度（６００℃）に到達するように、設定されている。本実施形態では、ステーショナリ目標温度は、リセット目標温度に等しい。
【００４３】
フィルタ入口温度が高くなると、堆積量が減少する速度が増大する。ただし、フィルタ入口温度が高くなりすぎると、フィルタ１９が溶けたり、割れてしまう虞がある。このため、ステーショナリ再生モードの実行時間が短時間である所定時間Ｈ５ａ（３０分）になるように、ステーショナリ目標温度（６００℃）の高さが設定されている。同様に、リセット再生モードの実行時間も短時間である所定時間Ｈ３ａ（３０分）になるように、リセット目標温度の高さも設定されている。
【００４４】
ステーショナリ待機モードは、ステーショナリ再生モードの実行を待機するための制御モードである。自己再生モード、アシスト再生モード、およびリセット再生モードで、フィルタ１９の再生が良好に行われない場合、上述したようにステーショナリ再生モードを実行する必要がある。しかしながら、ステーショナリ再生モードでは回転速度が所定回転速度に保たれる。作業中に突然ステーショナリ再生モードが実行されることは、急激な回転速度の変動を招くため、好ましくない。このため、オペレータからの指令を待機するために、ステーショナリ待機モードが設けられている。ステーショナリ待機モードでは、ＥＣＵ５０は、ステーショナリ警告を発するように、警告装置１５を作動させる。ステーショナリ警告は、オペレータにステーショナリ再生モードの実行を促す警告である。ＥＣＵ５０は、具体的には警告ランプを点灯させる。オペレータはステーショナリ警告を受けると、作業を中止し、必要に応じてエンジン１を搭載する作業車両を作業場所から別の場所に移動させる。その後、オペレータは、ステーショナリ再生ボタン１６を介してステーショナリ再生指示を入力する。ステーショナリ再生指示が入力されると、ステーショナリ再生モードが開始される。
【００４５】
ＥＧＲ（排気再循環）は、自己再生モードでは使用可能である。一方、アシスト再生モード、リセット再生モード、およびステーショナリ再生モードでは、ＥＧＲは使用されない。これらの制御モードでは総噴射量が増量されており、未燃炭化水素の発生量も増加する。つまり、未燃炭化水素がＥＧＲ管８に付着するのを防止するために、これらの制御モードではＥＧＲが使用されない。
【００４６】
図５は、自己再生領域、再生可能領域、および再生不可能領域を示す図である。図５において、横軸はエンジン１の回転速度を示しており、縦軸は負荷（トルク）を示している。図５にエンジン１の出力特性カーブが描かれており、この出力特性カーブ内の領域が、自己再生領域、再生可能領域、および再生不可能領域に分割されている。第１境界線Ｌ１は、自己再生領域と再生可能領域との境界を示している。第２境界線Ｌ２は、再生可能領域と再生不可能領域との境界を示している。第１境界線Ｌ１は、通常運転における触媒入口温度が活性化温度（３００℃）であるときの回転速度−トルクカーブを示している。つまり、自己再生領域は、触媒入口温度が活性化温度以上である領域を示している。回転速度およびトルクが自己再生領域内にあるとき、特別な制御を行うことなくフィルタ１９が再生されている。つまり、自己再生領域は、自己再生モードにおいて必ずフィルタ１９が再生される領域を示している。第２境界線Ｌ２は、通常運転における触媒入口温度が再生限界温度にあるときの回転速度−トルクカーブを示している。リセット再生モードの実行により触媒入口温度が上昇する。しかし、通常運転における触媒入口温度が低すぎるとリセット再生モードが実行されても触媒入口温度が活性化温度に到達しない。再生限界温度は、活性化温度に到達可能な触媒入口温度の下限値を示している。再生可能領域は、触媒入口温度が活性化温度より低く、再生限界温度以上である領域を示している。回転速度およびトルクが再生可能領域内にあるとき、アシスト再生モードまたはリセット再生モードが実行されれば、フィルタ１９の再生が可能である。再生不可能領域は、触媒入口温度が再生限界温度よりも低い領域を示している。回転速度およびトルクが再生不可能領域内にあるとき、アシスト再生モードおよびリセット再生モードのいずれが実行されても、フィルタ１９の再生は不可能である。
【００４７】
ステーショナリ再生モードでは、回転速度が所定回転速度Ｒ０に維持される。図５において、回転速度が所定回転速度Ｒ０以上である場合、再生不可能領域は存在しない。このため、ステーショナリ再生モードでは、触媒入口温度が必ず活性化温度に到達し、フィルタ１９の再生が必ず行われる。所定回転速度Ｒ０は、図５に示されるような実験的に得られた出力特性カーブに基づいて特定される。
【００４８】
図６を参照して、制御モードの変更に応じた堆積量の時間変化の一例を説明する。図６は、堆積量の時間変化の一例を示す図である。図６において、横軸はエンジン１の連続運転時間（ｈｒ）であり、縦軸は堆積量（ｇ／Ｌ）である。なお、説明の便宜を考慮して制御の遅れによる時間差は無視している。
【００４９】
時刻Ｔ０から時刻Ｔ１まで、自己再生モード（通常運転）が実行されており、堆積量が増加している。時刻Ｔ１に堆積量がアシストしきい値Ａ２（８ｇ／Ｌ）に到達しており、制御モードが自己再生モードからアシスト再生モードに変更される。堆積量がアシストしきい値Ａ２以上になることは、アシスト再生モードの開始条件の１つである。時刻Ｔ１から時刻Ｔ２まで、アシスト再生モードの制御により、堆積量が減少している。時刻Ｔ２に堆積量が許容しきい値Ａ１（６ｇ／Ｌ）に到達しており、制御モードがアシスト再生モードから自己再生モードに変更される。堆積量が許容しきい値Ａ１よりも小さくなることは、自己再生モードの開始条件の１つである。時刻Ｔ２から時刻Ｔ３まで自己再生モードが実行されており、堆積量が増加する。また、時刻Ｔ３から時刻Ｔ４までアシスト再生モードが実行されており、堆積量が減少する。このように、基本的には、自己再生モードおよびアシスト再生モードが交互に繰り返し実行される。この結果、堆積量の増大が抑制される。
【００５０】
時刻Ｔ５は、時刻Ｔ４よりも後の時刻を示している。時刻Ｔ５から時刻Ｔ６まで自己再生モードが実行されており、堆積量が増加している。時刻Ｔ６に連続運転時間が許容連続時間Ｈｄ（１００時間）に到達しており、制御モードが自己再生モードからリセット再生モードに変更される。連続運転時間が許容連続時間Ｈｄを超えることは、リセット再生モードの開始条件の１つである。時刻Ｔ６から時刻Ｔ７までリセット再生モードが実行されており、堆積量が大きく減少し、ほとんどゼロになっている。リセット再生モードが終了すると、連続運転時間が０時間にリセットされる。時刻Ｔ０および時刻Ｔ６は、連続運転時間が０時間の時刻を示している。
【００５１】
時刻Ｔ８は、時刻Ｔ７よりも後の時刻を示している。時刻Ｔ８から時刻Ｔ９まで制御モードが自己再生モードに保たれており、堆積量が増加している。時刻Ｔ９に堆積量がアシストしきい値Ａ２（８ｇ／Ｌ）に到達しており、制御モードが自己再生モードからアシスト再生モードに変更される。時刻Ｔ９から時刻Ｔ１０まで制御モードがアシスト再生モードに保たれている。しかし、アシスト再生モードが実行されているにも拘わらず、堆積量が増加している。上述したように、例えば回転速度が低い場合にこのような状況が発生する。このため、時刻Ｔ１０に、堆積量がステーショナリしきい値Ａ３（１０ｇ／Ｌ）に到達しており、制御モードがアシスト再生モードからステーショナリ待機モードに変更される。ステーショナリ待機モードでは、ステーショナリ警告が発せられている。オペレータは、ステーショナリ警告に応じて、ステーショナリ再生モードを実行させるために例えば作業の中止を決定する。時刻Ｔ１１に、ステーショナリ再生モード指令が手動で入力されており、制御モードがステーショナリ待機モードからステーショナリ再生モードに変更される。時刻Ｔ１１から時刻Ｔ１２までステーショナリ再生モードが実行されており、堆積量が大きく減少し、許容しきい値Ａ１（６ｇ／Ｌ）よりも小さくなっている。
【００５２】
次に、メンテナンス待機モードを説明する。制御モードがステーショナリ再生モードに変更されれば、通常、フィルタ１９の再生は確実に行われる。しかし、ステーショナリ再生モードへの変更は手動により行われる。このため、ステーショナリ再生モードが実行されないまま、エンジン１の駆動が継続すると、堆積量が過剰になってしまう。堆積量が過剰になっているときにリセット再生モードまたはステーショナリ再生モードが実行されると、フィルタ１９上のＰＭが連鎖的に燃焼する虞がある。以下、この連鎖的な燃焼を、急激な再生と呼ぶ。急激な再生に伴って高熱が発生するため、その高熱によりフィルタ１９が溶けてしまう、あるいは割れてしまう虞がある。そこで、過剰な堆積の発生時にフィルタ１９の再生を禁止するための制御モードとして、メンテナンス待機モードが設けられている。
【００５３】
堆積量がメンテナンスしきい値を超えている場合、制御モードがメンテナンス待機モードに変更される。メンテナンスしきい値Ａ４（１２ｇ／Ｌ）は、アシストしきい値Ａ２（８ｇ／Ｌ）およびステーショナリしきい値Ａ３（１０ｇ／Ｌ）よりも大きな値である。ステーショナリ待機モードと同様に、オペレータからの指令を待機するために、メンテナンス待機モードが設けられている。メンテナンス待機モードでは、ＥＣＵ５０は、メンテナンス警告を発するように、警告装置１５を作動させる。メンテナンス警告は、オペレータにエンジン１のメンテナンスの実行を促す警告である。ＥＣＵ５０は、具体的には警告ランプを点灯させる。オペレータはメンテナンス警告を受けると、必要に応じてエンジン１を搭載する作業車両を作業場所から別の場所に移動させ、エンジン１の駆動を停止させる。
【００５４】
図７は、制御モードの遷移を示すフロー図である。図７において、ＥＣＵ５０は、制御モードとして、自己再生モードＭ１、アシスト再生モードＭ２、リセット再生モードＭ３、ステーショナリ待機モードＭ４、ステーショナリ再生モードＭ５、およびメンテナンス待機モードＭ６のいずれか１つを選択する。各制御モードは、所定の開始条件が満たされると開始され、所定の終了条件が満たされると終了し、別の制御モードに移行する。基本的には、堆積量の増加または減少に伴って、制御モードの遷移が発生する。
【００５５】
図７において、実線および破線の矢印で示される条件は、堆積量の判定条件を含んでいる。堆積量の推定は、上述したように、計算式推定方法および差圧式推定方法に基づいて行われる。堆積量が増加すると差圧式推定方法による推定の精度は低下するため、堆積量が比較的大きい場合には差圧式推定方法は用いられない。一方、堆積量が比較的小さい場合には、計算式推定方法および差圧式推定方法の双方が用いられる。実線の矢印は、計算式推定方法および差圧式推定方法の双方が用いられる場合を示している。破線の矢印は、計算式推定方法のみが用いられる場合を示している。また、二点鎖線の矢印で示される条件は、堆積量以外の判定条件を示している。
【００５６】
エンジン１が起動されたとき、まず、自己再生モードＭ１が制御モードとして選択される。
【００５７】
自己再生モードＭ１において条件Ｃ１が満たされる場合、制御モードが自己再生モードＭ１からアシスト再生モードＭ２に変更される。条件Ｃ１は「堆積量≧アシストしきい値Ａ２（８ｇ／Ｌ）」である。アシスト再生モードＭ２において条件Ｃ２または条件Ｃ３が満たされる場合、制御モードは、アシスト再生モードＭ２から自己再生モードＭ１に変更される。条件Ｃ２は「アシスト再生モードＭ２の実行時間≧所定時間Ｈ２ａ（３０分）」である。条件Ｃ３は、「堆積量＜許容しきい値Ａ１（６ｇ／Ｌ）」である。
【００５８】
自己再生モードＭ１において条件Ｃ４が満たされる場合、制御モードが自己再生モードＭ１からリセット再生モードＭ３に変更される。条件Ｃ４は「連続運転時間≧許容連続時間Ｈｄ（１００時間）」である。アシスト再生モードＭ２において条件Ｃ５または条件Ｃ６が満たされる場合、制御モードがアシスト再生モードＭ２からリセット再生モードＭ３に変更される。条件Ｃ５は「連続運転時間≧許容連続時間Ｈｄ（１００時間）」である。条件Ｃ６は「堆積量≧アシストしきい値Ａ２（８ｇ／Ｌ）、かつアシスト再生モードＭ２の実行時間≧所定時間Ｈ２ｃ（１０分）」である。また、リセット再生モードＭ３において条件Ｃ７または条件Ｃ８が満たされる場合、制御モードがリセット再生モードＭ３から自己再生モードＭ１に変更される。条件Ｃ７は「リセット再生モードの有効時間≧所定時間Ｈ３ｂ（２５分）」である。リセット再生モードＭ３の有効時間は、リセット再生モードＭ３の実行中にフィルタ入口温度がリセット目標温度（６００℃）以上に保たれる時間を示している。ＥＣＵ５０は、フィルタ入口温度センサ３５の検出情報に基づいて、有効時間を計測する。条件Ｃ８は「リセット再生モードの実行時間≧所定時間Ｈ３ａ（３０分）」である。
【００５９】
アシスト再生モードＭ２において条件Ｃ９が満たされる場合、制御モードがアシスト再生モードＭ２からステーショナリ待機モードＭ４に変更される。条件Ｃ９は「堆積量≧ステーショナリしきい値Ａ３（１０ｇ／Ｌ）」である。リセット再生モードＭ３において条件Ｃ１０または条件Ｃ１１が満たされる場合、制御モードがリセット再生モードＭ３からステーショナリ待機モードＭ４に変更される。条件Ｃ１０は「堆積量≧ステーショナリしきい値Ａ３（１０ｇ／Ｌ）」である。条件Ｃ１１は「堆積量≧アシストしきい値Ａ２（８ｇ／Ｌ）、かつリセット再生モードの実行時間≧所定時間Ｈ３ｃ（１０分）」である。
【００６０】
ステーショナリ待機モードＭ４において条件Ｃ１２が満たされる場合、制御モードはステーショナリ待機モードＭ４からステーショナリ再生モードＭ５に変更される。条件Ｃ１２は「ステーショナリ再生モード指令：有」であり、オペレータによってステーショナリ再生ボタン１６を介してステーショナリ再生指示が入力されることを示している。
【００６１】
ステーショナリ再生モードＭ５において条件Ｃ１３または条件Ｃ１４が満たされる場合、制御モードはステーショナリ再生モードＭ５から自己再生モードＭ１に変更される。条件Ｃ１３は「ステーショナリ再生モードＭ５の有効時間≧所定時間Ｈ５ｂ（２５分）」である。ステーショナリ再生モードＭ５の有効時間は、ステーショナリ再生モードＭ５においてフィルタ入口温度がステーショナリ目標温度（６００℃）以上に保たれる時間を示している。条件Ｃ１４は「ステーショナリ再生モードＭ５の実行時間≧所定時間Ｈ５ａ（３０分）」である。なお、ステーショナリ再生モードＭ５では回転速度が所定回転速度（２２００ｒｐｍ）に保たれているため、外気温度が特別に低い場合などを除き、条件Ｃ１３が満たされる。
【００６２】
ステーショナリ待機モードＭ４において条件Ｃ１５または条件Ｃ１６が満たされる場合、制御モードはステーショナリ待機モードＭ４からメンテナンス待機モードＭ６に変更される。条件Ｃ１５は「ステーショナリ待機モードＭ４の実行時間≧所定時間Ｈ４ａ（１０時間）」である。条件Ｃ１６は「堆積量≧リカバリしきい値Ａ４（１２ｇ／Ｌ）」である。また、ステーショナリ再生モードＭ５において条件Ｃ１７が満たされる場合、制御モードはステーショナリ再生モードＭ５からメンテナンス待機モードＭ６に変更される。条件Ｃ１７は「堆積量≧アシストしきい値Ａ２（８ｇ／Ｌ）、かつステーショナリ再生モードの実行時間≧所定時間Ｈ５ａ（３０分）」である。
【００６３】
次に、リセット再生モードの中断を説明する。上述した中断要求ボタン１７は、リセット再生モードを中断させるための中断要求を発生させるために、設けられている。
【００６４】
オペレータは、例えば次のような場合に中断要求を発生させる。
（Ａ）高温の排気ガスの排出が好ましくない場合
リセット再生モードが実行されているとき、高温の排気ガスがエンジン１から排出される。高温の排気ガスにより熱損傷を受けるような物品がエンジン１またはエンジン１を搭載する作業車両の周囲に存在する場合、リセット再生モードの実行は好ましくない。このような場合、オペレータは、リセット再生モードを一時的に中断させ、エンジン１またはエンジン１を搭載する作業車両を別の場所に移動させた後に、リセット再生モードを再開させる。
（Ｂ）リセット再生モードの連続実行時間が長時間になる場合
リセット再生モードではポスト噴射が実行されるため、ポスト噴射の燃料により、エンジン１内のエンジンオイルが希釈されてしまう。このため、リセット再生モードの連続実行時間が長時間になることは好ましくない。このような場合、オペレータは、リセット再生モードを一時的に中断させ、一定時間が経過した後に、リセット再生モードを再開させる。
【００６５】
リセット再生モードの実行中に中断要求が発生すると、リセット再生モードが中断されてアシスト再生モードが実行される。中断要求が消失すると、一旦中断されていたリセット再生モードが再度実行される。また、リセット再生モードの実行中以外に中断要求が発生した場合、中断要求は無視される。なお、上述したように、リセット再生モードの終了条件は、リセット再生モードの実行時間および有効時間を含んでいる。しかし、リセット再生モードが中断されている時間は、リセット再生モードの実行時間および有効時間としては計測されない。
【００６６】
図８−１１を参照して、制御モードの遷移の一例を説明する。図８−１１において、横軸は時間経過を示している。図８は、堆積量の時間変化を示す図である。図８において、縦軸はＰＭの堆積量の大きさを示している。横軸は、時刻を示している。図９は、中断要求の有無の時間変化を示す図である。図９において、縦軸は中断要求の有無（ＯＮ、ＯＦＦ）を示している。図１０は、制御モードの時間変化を示す図である。図１０において、縦軸は制御モードを示している。図１１は、差圧式推定方法の有無の時間変化を示す図である。図１１において、縦軸は差圧式推定方法の有無（ＯＮ、ＯＦＦ）を示している。なお、説明の便宜を考慮して制御の遅れによる時間差は無視している。
【００６７】
図８、図１０に示されるように、時刻Ｔ２３まで自己再生モードおよびアシスト再生モードが交互に実行されており、堆積量は許容しきい値からアシストしきい値の間に保たれている。時刻Ｔ２１から時刻Ｔ２２までアシスト再生モードが実行されており、時刻Ｔ２２から時刻Ｔ２３まで自己再生モードが実行されている。時刻Ｔ２３に連続運転時間が許容連続時間Ｈｄ（１００時間）に到達しており、制御モードがリセット再生モードに変更されている。
【００６８】
図８、図１０に示されるように、時刻Ｔ２３から時刻Ｔ２４までリセット再生モードが実行されており、堆積量が急激に減少している。時刻Ｔ２４に、リセット再生モードの有効時間が所定時間Ｈ３ｂ（２５分）に到達しており、リセット再生モードが終了する。時刻Ｔ２４までに堆積量はほぼゼロになっている。時刻Ｔ２４に、制御モードがリセット再生モードから自己再生モードに変更されている。
【００６９】
時刻Ｔ２５は時刻Ｔ２４よりも後の時刻であり、時刻Ｔ２４、Ｔ２５の間には大きな時間差がある。図８、図１０に示されるように、時刻Ｔ２６まで自己再生モードおよびアシスト再生モードが交互に実行されており、堆積量は許容しきい値からアシストしきい値の間に保たれている。時刻Ｔ２６に連続運転時間が再び許容連続時間Ｈｄ（１００時間）に到達しており、制御モードがリセット再生モードに変更されている。
【００７０】
図８、図１０に示されるように、時刻Ｔ２６から時刻Ｔ２７までリセット再生モードが実行されており、堆積量が急激に減少している。時刻Ｔ２７には、リセット再生モードの有効時間が所定時間Ｈ３ｂ（２５分）に到達していない。しかし、図９に示されるように、時刻Ｔ２７に中断要求が発生している。このため、時刻Ｔ２７にリセット再生モードが中断され、アシスト再生モードが開始される。時刻Ｔ２７から時刻Ｔ２８までアシスト再生モードの実行により堆積量が減少している。アシスト再生モードにおける堆積量の減少速度は、リセット再生モードにおける堆積量の減少速度よりも小さい。しかし、堆積量の減少は中断されることなく継続している。時刻Ｔ２８に中断要求が消失しており、アシスト再生モードが終了し、再びリセット再生モードが開始される。時刻Ｔ２８から時刻Ｔ２９までリセット再生モードが実行される。時刻Ｔ２９に、リセット再生モードの有効時間が所定時間Ｈ３ｂ（２５分）に到達しており、リセット再生モードが終了する。ここで、リセット再生モードの中断時には、有効時間の計測も中断している。このため、有効時間として計測される時間は、時刻Ｔ２６から時刻Ｔ２７までの時間と、時刻Ｔ２８から時刻Ｔ２９までの時間とを合わせて得られる時間である。また、時刻Ｔ２９に、制御モードがリセット再生モードから自己再生モードに変更されている。
【００７１】
図１１に示されるように、アシスト再生モードまたはリセット再生モードが実行されているとき、差圧式推定方法は使用されていない。自己再生モードが実行されているときのみ、差圧式推定方法が使用されている。計算式推定方法は、常に使用されている。
【００７２】
フィルタ１９が再生されているとき、次の理由により差圧式堆積量の精度が低下する。再生中、フィルタ１９の表面上で排気ガスの流量が相対的に大きい領域からＰＭが除去される。具体的には中央部分からＰＭが除去され、フィルタ１９上で局所的にＰＭが除去されてホールが形成される。そうすると、ＰＭがあまり除去されていないのに、ホールの存在のため、差圧が大幅に低下する。この場合、差圧はＰＭの堆積量に対応しない。つまり、フィルタ１９の再生中、差圧式堆積量の精度は大きく低下する。このため、フィルタ１９の再生中に差圧式推定方法は使用されない。
【００７３】
本実施形態に係る排気ガス浄化装置は、次の構成により、次の効果を有している。
【００７４】
（１）本実施形態に係る排気ガス浄化装置は、エンジン１の排気経路５内に配置される酸化触媒１８およびフィルタ１９と、設定された燃料噴射パターンにしたがって燃料を噴射する燃料噴射装置１３と、粒子状物質の堆積量を推定し、かつ前記燃料噴射パターンを設定するように構成されている制御装置（ＥＣＵ５０）と、を備えている。リセット再生モードが実行されているときにリセット再生モードの中断要求が発生すると、前記中断要求が消失するまでリセット再生モードの代わりにアシスト再生モードが実行される。
【００７５】
リセット再生モードが実行されているとき、燃料噴射パターンとして、ポスト噴射を含む燃料噴射パターン（第１パターン）が設定されている。アシスト再生モードが実行されているとき、燃料噴射パターンとして、圧縮行程および膨張行程における総噴射量が増やされている燃料噴射パターン（第２パターン）が設定されている。第１パターンまたは第２パターンが設定されているとき、フィルタ１９が再生される。
【００７６】
このため、本実施形態に係る排気ガス浄化装置は、ポスト噴射を伴う再生を中断する場合に、その中断中にもフィルタ１９の再生を継続できる。
【００７７】
（２）前記制御装置（ＥＣＵ５０）は、前記エンジン１の運転条件に基づいて前記堆積量を推定する計算式推定方法と、前記フィルタ１９の両側間の差圧に基づいて前記堆積量を推定する差圧式推定方法とを、実行できるように構成されている。前記中断要求が発生している間、前記計算式推定方法に基づいて前記堆積量が推定される。
【００７８】
このため、本実施形態に係る排気ガス浄化装置は、精度を低下させることなく、堆積量を推定できる。
【００７９】
（３）本実施形態に係る排気ガス浄化装置は、入力操作によって前記中断要求を発生させる入力装置（中断要求ボタン１７）を備えている。
【００８０】
オペレータは、自らの判断に基づいてポスト噴射を伴う再生の実行の可否を決定できる。このため、本実施形態に係る排気ガス浄化装置は、ポスト噴射を伴う再生を中断する必要がある場合に、対応できる。
【００８１】
本実施形態に係るエンジン１は、次の変形を採用できる。
【００８２】
エンジン１において、過給機１０およびＥＧＲ装置（ＥＧＲ管８、ＥＧＲスロットル弁９、ＥＧＲクーラー２４）は、必須の構成要素ではない。エンジン１は、過給機１０および／またはＥＧＲ装置を備えていなくても良い。エンジン１が過給機１０および／またはＥＧＲ装置を備えていない場合、吸気温度は環境温度に概ね等しく、初期排気温度は触媒入口温度に概ね等しい。
【００８３】
本実施形態では、排気ガスの温度を高めるために、吸気絞りおよび燃料噴射パターンの変更が行われている。吸気絞りの代わりに、または吸気絞りに加えて排気絞りが行われてもよい。排気絞りは、排気スロットル弁６により実行される。
【符号の説明】
【００８４】
１  エンジン
５  排気経路
１３  燃料噴射装置
１８  酸化触媒
１９  フィルタ
５０  ＥＣＵ（制御装置）
【図１】
2014238056.tif 000003
【図２】
2014238056.tif 000004
【図３】
2014238056.tif 000005
【図４】
2014238056.tif 000006
【図５】
2014238056.tif 000007
【図６】
2014238056.tif 000008
【図７】
2014238056.tif 000009
【図８】
2014238056.tif 000010
【図９】
2014238056.tif 000011
【図１０】
2014238056.tif 000012
【図１１】
2014238056.tif 000013